(57)【要約】【課題】コンクリート床面に反力取らずに移動でき、コンクリート床面を均一に均すことができるコンクリート床面仕上げ装置及びコンクリート床面の仕上げ方法の提供。【解決手段】このコンクリート床面仕上げ装置１は、装置本体２の下面側にプロペラ状に配置された回転鏝３と、回転鏝３の周囲に配置された下部フレーム４と、装置本体２を回転翼５，６による揚力で移動させる飛行移動手段７と、下部フレーム４の下端部に固定された複数の接地圧センサ２２ａ〜２２ｄと、回転鏝３のレベル及び位置を検知するレベル検知手段とを備え、飛行移動手段７によって移動し、着地した位置のコンクリート床面Ａを回転鏝３によって均すことができるようになっている。【選択図】図１
2018087446.tif 000002
【特許請求の範囲】
【請求項１】
装置本体の下面側にプロペラ状に配置された回転鏝と、前記回転鏝の周囲に配置された下部フレームとを備え、前記回転鏝をコンクリート床面に接地させた状態で回転駆動させるようにしたコンクリート床面仕上げ装置において、
前記装置本体を回転翼による揚力で移動させる飛行移動手段と、前記下部フレームの下端部に固定された複数の接地圧センサと、前記回転鏝のレベルを検知するレベル検知手段とを備えていることを特徴とするコンクリート床面仕上げ装置。
【請求項２】
前記飛行移動手段は、前記装置本体の上部に同軸状に配置された上部回転支軸及び下部回転支軸と、該上部回転支軸及び下部回転支軸にそれぞれロータヘッドを介して支持された上部回転翼及び下部回転翼とを備え、前記上部回転翼と前記下部回転翼とが互いに反対方向に回転するようにした請求項１に記載のコンクリート床面仕上げ装置。
【請求項３】
前記回転鏝及び前記飛行移動手段を遠隔操作可能な無線制御ユニットを備え、
該無線制御ユニットは、前記接地圧センサの計測データ及びレベル検知手段の検知信号を表示する表示手段を備えた請求項１又は２に記載のコンクリート床面仕上げ装置。
【請求項４】
装置本体の下面側にプロペラ状に配置された回転鏝と、前記回転鏝を回転させる鏝駆動手段と、前記回転鏝の周囲に配置された下部フレームとを備えてなるコンクリート床面仕上げ装置を使用し、移動する毎に前記回転鏝をコンクリート床面に接地させた状態で回転駆動させるコンクリート床面の仕上げ方法において、
前記コンクリート床面仕上げ装置には、回転翼からなる飛行移動手段と、該飛行移動手段を制御する飛行移動制御手段と、前記下部フレームの下端部にて固定された複数の接地圧センサと、前記回転鏝のレベルを検知するレベル検知手段とを備え、
前記回転翼の揚力により前記コンクリート床面より浮上した状態で移動する移動工程と、着地後の前記各接地圧センサ及びレベル検知手段のデータに基づいて制御しつつ前記回転鏝を回転させる均し工程とを繰り返すことを特徴とするコンクリート床面の仕上げ方法。
【請求項５】
前記移動工程は、既に均した範囲の内縁部に移動方向後方に配置された前記接地圧センサの位置を合わせて着地させる請求項４に記載のコンクリート床面の仕上げ方法。
【発明の詳細な説明】
【技術分野】
【０００１】
本発明は、コンクリート構造物におけるコンクリート打設床面の仕上げ作業に用いられるコンクリート床面仕上げ装置及びコンクリート床面の仕上げ方法に関する。
【背景技術】
【０００２】
従来、コンクリート構造物におけるコンクリート床面の仕上げ作業は、鏝を用いて作業員が手作業で行っていたが、この作業員による均し作業は、中腰の状態で長時間に亘って行うため作業員の負担が大きく、また、近年では、熟練の作業員を確保することが難しいという問題があった。
【０００３】
そこで、近年では、トロウェル等のコンクリート床面仕上げ装置（以下、床面仕上げ装置という）を用いることにより作業の省力化及び効率化が図られている。
【０００４】
トロウェル型の床面仕上げ装置は、装置本体の下面側にプロペラ状に配置された複数の回転鏝と、回転鏝を回転させるモーターや原動機等の鏝駆動手段とを備え、装置本体を適宜移動させつつ、仕上げ対象面に接した回転鏝を回転駆動させることにより、仕上げ対象面を加圧しつつ均すようになっている。
【０００５】
このトロウェル型の床面仕上げ装置には、装置後方に取り付けられたハンドルを作業員が操作する手押し式のもの（例えば、特許文献１を参照）や、装置上に作業員が搭乗し操作する騎乗式のもの（例えば、特許文献２を参照）等があり、ハンドル操作や体重移動によって装置本体を傾けることにより回転鏝の接地圧を変化させ、それによって生じる推進力を利用して移動するようになっている。
【０００６】
また、床面仕上げ装置には、遠隔操作又は自動制御により移動するようにしたロボット型のものも開発されている（例えば、特許文献３を参照）。
【先行技術文献】
【特許文献】
【０００７】
【特許文献１】特開２００４−２２５５２３号公報
【特許文献２】特開２０１５−１９６９９４号公報
【特許文献３】特開平０２  −２０４５７０号公報
【発明の概要】
【発明が解決しようとする課題】
【０００８】
しかしながら、上述の如き従来のトロウェル型の床面仕上げ装置では、仕上げ対象床面上を移動する際、装置本体を傾けることにより回転鏝の接地圧を変化させ、それによって生じる推力を利用するため、仕上げ対象面に作用する鏝の接地圧を均等に作用させることできず、ひび割れ、不陸、脆弱層の形成等の不具合がコンクリート床面に生じるおそれがあった。
【０００９】
また、特許文献３に示す技術においても、当該床面に反力をとって推進力とするため、当該推進力が鏝の接地圧に影響を及ぼし、平滑な床面の形成に支障を来すおそれがあった。
【００１０】
そこで、本発明は、このような従来の問題に鑑み、コンクリート床面に反力取らずに移動でき、コンクリート床面を均一に均すことができるコンクリート床面仕上げ装置及びコンクリート床面の仕上げ方法の提供を目的としてなされたものである。
【課題を解決するための手段】
【００１１】
上述の如き従来の問題を解決するための請求項1に記載の発明の特徴は、装置本体の下面側にプロペラ状に配置された回転鏝と、前記回転鏝の周囲に配置された下部フレームとを備え、前記回転鏝をコンクリート床面に接地させた状態で回転駆動させるようにしたコンクリート床面仕上げ装置において、前記装置本体を回転翼による揚力で移動させる飛行移動手段と、前記下部フレームの下端部に固定された複数の接地圧センサと、前記回転鏝のレベルを検知するレベル検知手段とを備えているコンクリート床面仕上げ装置にある。
【００１２】
請求項２に記載の発明の特徴は、請求項１の構成に加え、前記飛行移動手段は、前記装置本体の上部に同軸状に配置された上部回転支軸及び下部回転支軸と、該上部回転支軸及び下部回転支軸にそれぞれロータヘッドを介して支持された上部回転翼及び下部回転翼とを備え、前記上部回転翼と前記下部回転翼とが互いに反対方向に回転するようにしたことにある。
【００１３】
請求項３に記載の発明の特徴は、請求項１又は２の構成に加え、前記回転鏝及び前記飛行移動手段を遠隔操作可能な無線制御ユニットを備え、該無線制御ユニットは、前記接地圧センサの計測データ及びレベル検知手段の検知信号を表示する表示手段を備えたことにある。
【００１４】
請求項４に記載の発明の特徴は、装置本体の下面側にプロペラ状に配置された回転鏝と、前記回転鏝を回転させる鏝駆動手段と、前記回転鏝の周囲に配置された下部フレームとを備えてなるコンクリート床面仕上げ装置を使用し、移動する毎に前記回転鏝をコンクリート床面に接地させた状態で回転駆動させるコンクリート床面の仕上げ方法において、前記コンクリート床面仕上げ装置には、回転翼からなる飛行移動手段と、該飛行移動手段を制御する飛行移動制御手段と、前記下部フレームの下端部にて固定された複数の接地圧センサと、前記回転鏝のレベルを検知するレベル検知手段とを備え、前記回転翼の揚力により前記コンクリート床面より浮上した状態で移動する移動工程と、着地後の前記各接地圧センサ及びレベル検知手段のデータに基づいて制御しつつ前記回転鏝を回転させる均し工程とを繰り返すコンクリート床面の仕上げ方法にある。
【００１５】
請求項５に記載の発明の特徴は、請求項４の構成に加え、前記移動工程は、既に均した範囲の内縁部に移動方向後方に配置された前記接地圧センサの位置を合わせて着地させることにある。
【発明の効果】
【００１６】
本発明に係るコンクリート床面仕上げ装置は、上述したように、装置本体の下面側にプロペラ状に配置された回転鏝と、前記回転鏝の周囲に配置された下部フレームとを備え、前記回転鏝をコンクリート床面に接地させた状態で回転駆動させるようにしたコンクリート床面仕上げ装置において、前記装置本体を回転翼による揚力で移動させる飛行移動手段と、前記下部フレームの下端部に固定された複数の接地圧センサと、前記回転鏝のレベルを検知するレベル検知手段とを備えていることにより、回転鏝の接地圧変化による推進力を利用せずに移動することができるとともに、接地圧センサ及びレベル検知手段からの情報を基にコンクリート床面を均一に均すことができる。
【００１７】
また、本発明において、前記飛行移動手段は、前記装置本体の上部に同軸状に配置された上部回転支軸及び下部回転支軸と、該上部回転支軸及び下部回転支軸にそれぞれロータヘッドを介して支持された上部回転翼及び下部回転翼とを備え、前記上部回転翼と前記下部回転翼とが互いに反対方向に回転するようにしたことにより、各回転翼によって装置本体に作用する反動トルクを相殺し、安定した状態で移動することができる。また、回転翼をコンパクト化することができる。
【００１８】
さらに、本発明において、前記回転鏝及び前記飛行移動手段を遠隔操作可能な無線制御ユニットを備え、該無線制御ユニットは、前記接地圧センサの計測データ及びレベル検知手段の検知信号を表示する表示手段を備えたことにより、表示される情報を基に装置の姿勢を把握し、遠隔操作によって好適に制御することができる。
【００１９】
本発明方法では、装置本体の下面側にプロペラ状に配置された回転鏝と、前記回転鏝を回転させる鏝駆動手段と、前記回転鏝の周囲に配置された下部フレームとを備えてなるコンクリート床面仕上げ装置を使用し、移動する毎に前記回転鏝をコンクリート床面に接地させた状態で回転駆動させるコンクリート床面の仕上げ方法において、前記コンクリート床面仕上げ装置には、回転翼からなる飛行移動手段と、該飛行移動手段を制御する飛行移動制御手段と、前記下部フレームの下端部にて固定された複数の接地圧センサと、前記回転鏝のレベルを検知するレベル検知手段とを備え、前記回転翼の揚力により前記コンクリート床面より浮上した状態で移動する移動工程と、着地後の前記各接地圧センサ及びレベル検知手段のデータに基づいて制御しつつ前記回転鏝を回転させる均し工程とを繰り返すことにより、回転鏝の接地圧変化による推進力を利用せずに移動することができるとともに、接地圧センサ及びレベル検知手段からの情報を基にコンクリート床面を均一に均すことができる。
【００２０】
また、本発明方法において、前記移動工程は、既に均した範囲の内縁部に移動方向後方に配置された前記接地圧センサの位置を合わせて着地させることにより、隣接する範囲間でレベル差をなくし、むらなくコンクリート床面を均すことができる。
【図面の簡単な説明】
【００２１】
【図１】本発明に係るコンクリート床面仕上げ装置の概略を示す正面図である。
【図２】同上の平面図である。
【図３】同上の底面図である。
【図４】(ａ)はコンクリート床面仕上げ装置の移動時の状態を説明するための正面図、（ｂ）は同均し作業時の状態を説明するための正面図である。
【図５】(ａ)〜（ｃ）はコンクリート床面仕上げ装置の移動工程時の位置関係を説明するための平面図である。
【発明を実施するための形態】
【００２２】
次に、本発明に係るコンクリート床面仕上げ装置の実施態様を図１〜図３に示した実施例に基づいて説明する。
【００２３】
コンクリート床面仕上げ装置（以下、床面仕上げ装置という）１は、装置本体２の下面側に配置されたプロペラ状の回転鏝３と、回転鏝３の周囲に配置された下部フレーム４とを備え、コンクリート床面Ａに接地した状態で回転鏝３を回転させることによりコンクリート床面Ａを押圧して均すようになっている。
【００２４】
また、この床面仕上げ装置１は、装置本体２を回転翼５，６による揚力で移動させる飛行移動手段７を備え、コンクリート床面Ａより浮上し、水平移動ができるようになっている。
【００２５】
さらに、床面仕上げ装置１は、回転鏝３及び飛行移動手段７を制御する無線制御ユニットを備え、遠隔操作できるようになっている。
【００２６】
回転鏝３は、装置本体２の下面より突出した鏝支軸１０と、鏝支軸１０の下端部に放射状に突設された角棒状の柄部１１，１１...と、各柄部１１，１１...の下面に固定された矩形平板状の鏝体１２，１２...とを備え、装置本体２の下半部に保持された鏝駆動手段１３によって回転駆動されるようになっている。
【００２７】
鏝駆動手段１３は、回転制御可能なサーボモータからなる動力源を備え、その回転軸にギアボックスを介して鏝支軸１０が接続されている。
【００２８】
下部フレーム４は、円環状の接地リング２０と、接地リング２０に支持された複数の支持アーム２１，２１...とを備え、支持アーム２１，２１...の上端に装置本体２が支持され、接地リング２０の内側に回転鏝３が配置される。
【００２９】
この接地リング２０の外周には、複数の接地圧センサ２２ａ〜２２ｄが固定され、各接地圧センサ２２ａ〜２２ｄで計測された計測データが随時無線により後述する操作ユニット４１に送信され、表示手段に表示されるようになっている。尚、接地圧センサ２２ａ〜２２ｄは、特に限定されないが、例えば、ダイヤフラム式の圧力センサを使用する。
【００３０】
また、この接地リング２０の外周には、複数のレーザー受光器２３ａ〜２３ｄが備えられ、このレーザー受光器２３ａ〜２３ｄが床面に設置されたレーザー投光器２４とともに回転鏝３のレベルを検知するレベル検知手段を構成している。
【００３１】
即ち、レベル検知手段は、レーザー投光器２４を基準となる高さに調整し、レーザー光を回転走査させることにより、コンクリート床面Ａより所望の高さにレーザー光線による基準面を形成し、接地リング２０に固定された各レーザー受光器２３ａ〜２３ｄがレーザー光線を受光した際に検知信号を送信するようになっている。
【００３２】
飛行移動手段７は、同軸反転式の二重ロータ、即ち、装置本体２の上面より突出した同軸状の上部回転軸３０及び下部回転軸３１と、上部回転軸３０及び下部回転軸３１にそれぞれロータヘッド３２，３３を介してブレード５ａ，６ａを支持させてなる上部回転翼５及び下部回転翼６とを備え、サーボモータ等からなる回転翼駆動手段３４により上部回転翼５と下部回転翼６とが互いに反対方向に回転するようになっている。
【００３３】
また、上部回転翼５及び下部回転翼６は、ロータヘッド３２，３３を動作させるロータヘッド駆動手段（図示せず）を備え、回転翼角度及び各ブレード５ａ，６ａのピッチ角度を調節できるようになっている。
【００３４】
回転翼駆動手段３４及びロータヘッド駆動手段は、無線制御ユニットにより各回転翼５，６の回転数、回転翼角度及びブレードのピッチ角が制御され、遠隔操作により速度、移動方向及び高度を調節できるようになっている。
【００３５】
無線制御ユニットは、装置本体２に設置された本体側制御ユニット４０と、本体側制御ユニット４０を操作する操作ユニット４１と、本体側制御ユニット４０と操作ユニット４１とを無線によって通信させる通信ユニットとを備え、操作ユニット４１により飛行移動手段７及び回転鏝３を遠隔操作できるようになっている。尚、図中符号４２は、回転鏝及び飛行移動手段７に電力を供給する電源ユニットである。
【００３６】
また、操作ユニット４１には、接地圧センサ２２ａ〜２２ｄの計測データ及びレベル検知手段の検知信号を表示する表示手段４１ａを備え、表示手段４１ａに表示される接地圧データ及びレベル情報を基に操作できるようになっている。
【００３７】
次に、上述の如き床面仕上げ装置１を使用したコンクリート床面の仕上げ方法について説明する。尚、図中符号４はコンクリートが打設されたコンクリート床面である。
【００３８】
先ず、図４(ａ)に示すように、飛行移動手段７により床面仕上げ装置１を浮上させ、その状態で仕上げの対象となるコンクリート床面Ａの所定位置まで水平移動させ着地させる。
【００３９】
その際、飛行移動手段７は、同軸反転式の二重ロータを備えているので、上部回転翼５及び下部回転翼６の回転によって装置本体２に作用する反動トルクが相殺され、装置本体２を安定した状態、即ち、各接地圧センサ２２ａ〜２２ｄ及びレーザー受光器２３ａ〜２３ｄを所望の向きに保持した状態で移動させることができる。
【００４０】
次に、レーザー投光器２４を調節し、レーザー走査光による基準面の高さを設計上の仕上げ高さよりやや高い位置（例えば仕上げ面より＋５ｍｍの位置）に設定し、レーザー光の走査を開始する。
【００４１】
その状態で回転鏝３の回転駆動を開始するとともに、接地圧センサ２２ａ〜２２ｄより随時データを送信し、操作ユニット４１の表示手段４１ａに表示する。
【００４２】
そして、表示手段４１ａに表示される各接地圧センサ２２ａ〜２２ｄ及びレベル検知手段の受光信号を確認しつつ、鏝駆動手段１３によって回転鏝３の回転数を調節しつつ回転鏝３を回転させ、鏝体１２，１２...でコンクリート床面Ａを押圧する（均し工程）。
【００４３】
そして、回転鏝３のレベルが基準面に到達し、レベル検知手段を構成するレーザー受光器２３ａ〜２３ｄがレーザーを受光したら、表示手段４１ａにレベル検知信号が表示されるので、回転鏝３を停止させる。
【００４４】
次に、回転翼駆動手段３４を動作させ、床面仕上げ装置１を浮上させ、その状態で水平移動させる（移動工程）。その際、床仕上げ装置１は、各回転翼５，６の回転に伴う揚力を利用し浮上及び水平移動するので、回転鏝３の接地圧変化を推進力とせず、また、コンクリート床面Ａに反力を取らずに移動することができる。
【００４５】
移動は、図５（ａ）〜（ｂ）に示すように、目視により確認し、移動方向後方に配置された接地圧センサ２２ｄが既に均された範囲６０ａの内周縁部に至るまで水平移動させ、その位置に着地させる。
【００４６】
そして、その位置において、各接地圧センサ２２ａ〜２２ｄのデータを基に制御しつつ回転鏝３を回転駆動させ、基準レベルに達するまでコンクリート床面Ａを押圧する（均し工程）。
【００４７】
その際、他の接地圧センサ２２ａ〜２２ｃの計測値が既に均し終えた範囲６０ａ上に位置する接地圧センサ２２ｄの接地圧と同じとなるように均すことによって、隣り合う範囲間の均しレベルを均一に保つことができる。
【００４８】
そして、上述した均し工程と移動工程とを一方向で連続して繰り返す。
【００４９】
尚、床面仕上げ装置１がコンクリート床面Ａの端部まで到達し、その位置での均し作業が完了したならば、図５（ｂ）〜（ｃ）に示すように、床面仕上げ装置１を浮上させ、既に均された位置６０ｂを基準として均し作業の繰り返し方向と直角を成す方向に移動させ、均し作業繰り返し方向と逆方向に均し工程と移動工程とを繰り返す。
【００５０】
そして、以上の一連の作業をコンクリート床面Ａ全体で繰り返し、コンクリート床面Ａ全体の粗均しが完了する。
【００５１】
次に、レーザー投光器２４を調節し、レーザー走査光による基準面の高さを設計上の仕上げ高さと同じ位置（仕上げ面に対し±０ｍｍの位置）に設定し、レーザー光の走査を開始する。
【００５２】
そして、上記粗均し作業と同様に、均し工程と移動工程とをコンクリート床面Ａ全体で繰り返し、コンクリート床面Ａを略設計上の仕上げ高さに仕上げる（1回目仕上げ工程）。
【００５３】
最後に、上記1回目仕上げ工程後に、凹凸やムラが生じている位置に床面仕上げ装置１を移動させ、その位置で回転鏝３を回転させ仕上げを行う（２回目仕上げ工程）ことにより作業を完了する。
【００５４】
尚、上述の実施例では、飛行移動手段７を同軸反転式の二重ロータ５，６とした例について説明したが、飛行移動手段７の態様はこれに限定されず、例えば、タンデムロータ方式等であってもよく、また、近年ドローン等に採用されているマルチロータ方式等であってもよい。
【００５５】
また、上述の実施例では、鏝駆動手段及び回転翼駆動手段の動力源にそれぞれサーボモータ等の電動機を使用した例について説明したが、電動機に替えて原動機を使用してもよく、何れか一方の動力源に電動機を使用し、他方の動力源に原動機を使用してもよい。
【符号の説明】
【００５６】
１  コンクリート床面仕上げ装置
２  装置本体
３  回転鏝
４  下部フレーム
５  上部回転翼
６  下部回転翼
１０  鏝支軸
１１  柄部
１２  鏝体
１３  鏝駆動手段
２０  接地リング
２１  支持アーム
２２ａ〜２２ｄ  接地圧センサ
２３ａ〜２３ｄ  レーザー受光器
２４  レーザー投光器
３０  上部回転軸
３１  下部回転軸
３２，３３  ロータヘッド
４０  本体側制御ユニット
４１  操作ユニット
４２  電源ユニット
【図１】
2018087446.tif 000003
【図２】
2018087446.tif 000004
【図３】
2018087446.tif 000005
【図４】
2018087446.tif 000006
【図５】
2018087446.tif 000007